(57)【要約】【課題】  硬鋼線を含むアウターケーシングは、通常のフレア加工では、アウターケーシングの樹脂成分の溶融により外部に露出した硬鋼線に妨害されて、フレア部を設けることが難しく、加締め・溶着等でケーシングキャップを取り付けていたために、アウターケーシングの製造に作業工数を要していた。【解決手段】  アウターケーシングが軸方向に長さを有する硬鋼線を複数有し、アウターケーシングの端末に外径拡大部を有し、硬鋼線が端末において前記アウターケーシングから外部に延在する延在部を有し、延在部はインナーケーブルの挿通とアウターケーシングの係合とを阻害しないような湾曲を有することを特徴とするコントロールケーブル。【選択図】図１
2012077816.tif 000002
【特許請求の範囲】
【請求項１】
インナーケーブルと、
前記インナーケーブルが摺動自在に挿通されるアウターケーシングとを含むコントロールケーブルにおいて、
前記アウターケーシングが軸方向に長さを有する硬鋼線を少なくとも１本以上有し、
前記アウターケーシングの端末に外径拡大部を有し、
前記硬鋼線が前記端末において前記アウターケーシングから外部に延在する延在部を有し、
前記延在部は前記インナーケーブルの挿通と前記アウターケーシングの係合とを阻害しないような湾曲を有する
ことを特徴とするコントロールケーブル。
【請求項２】
前記湾曲が、前記アウターケーシングの周回り方向への湾曲である請求項１に記載のコントロールケーブル。
【請求項３】
前記外径拡大部が、フランジ状、または先端に向けて径が広がるフレア状である請求項１または２に記載のコントロールケーブル。
【請求項４】
前記硬鋼線が、前記アウターケーシングの軸に平行に配置されている、又は、前記アウターケーシングの軸方向に向けて螺旋状に捲回されていることを特徴とする請求項１〜３のいずれかに記載のコントロールケーブル。
【請求項５】
前記外径拡大部が、硬鋼線を含む樹脂チューブを加熱した後に、傾斜面が凹状に湾曲し、先端に案内棒を有し、径方向の中央に突出した突出部が形成された治具を、回転させながら前記突出部を前記アウターケーシングの口部に挿入することにより形成された請求項１〜４のいずれかに記載のコントロールケーブル。
【発明の詳細な説明】
【技術分野】
【０００１】
本発明は、浴槽等の排水栓などに用いられるアウターチューブを用いたコントロールケーブルに関する。
【背景技術】
【０００２】
浴槽等に用いられる排水栓は、浴槽等に溜められたお湯を排出するための開栓や浴槽等にお湯を溜めるための閉栓の操作について、排水栓を直接操作するのではなく、操作性の容易さのために、排水栓より離れた位置に操作釦等が設けられて、当該操作釦によって開栓・閉栓を行う遠隔操作が行われる。このような遠隔操作は、操作釦と排水栓とを繋ぐコントロールケーブルを用いて行われるのが通常である。
【０００３】
このような遠隔操作するために用いられるコントロールケーブルとしては、浴槽フランジなどの人が操作しやすい比較的高い位置に設けられることが多い。そのために、当該コントロールケーブルは９０度以上の屈曲をさせて配索される場合がある。このような配索を実現するには、例えば、特許文献１のような柔軟なアウターチューブを使うことも可能であるが、浴槽に用いた場合には水圧がかかるなど、インナーケーブルの押し操作力を排水栓等の被操作側に十分に伝達する必要があるので、コントロールケーブルには適度な剛性が求められる。そのため、このような剛性が必要な場合には、硬鋼線を含むアウターケーシングを用いることが必要となる。
【先行技術文献】
【特許文献】
【０００４】
【特許文献１】特開２００７−２０４９１５
【発明の概要】
【発明が解決しようとする課題】
【０００５】
しかし、硬鋼線を含むアウターケーシングは、硬鋼線を含まないアウターチューブに比べて、円錐状の治具を用いるなどの通常のフレア加工では、アウターケーシングの樹脂成分の溶融により外部に露出した硬鋼線に妨害されて、取り付け可能なフレア部を設けることが難しい。そのために、硬鋼線を含むアウターケーシングの端末には加締め・溶着等でケーシングキャップを取り付けていたために、アウターケーシングの製造に作業工数を要しており、取付の簡単なコントロールケーブルが望まれている。つまり、本発明は、硬鋼線を有するアウターケーシングを含むコントロールケーブルであって、アウターケーシングが取り付けられる被取付け部への取付けが容易なコントロールケーブルを提供することを目的とする。
【課題を解決するための手段】
【０００６】
本発明は、インナーケーブルと、前記インナーケーブルが摺動自在に挿通されるアウターケーシングとを含むコントロールケーブルにおいて、前記アウターケーシングが軸方向に長さを有する硬鋼線を複数有し、前記アウターケーシングの端末に外径拡大部を有し、前記硬鋼線が前記端末において前記アウターケーシングから外部に延在する延在部を有し、前記延在部は前記インナーケーブルの挿通と前記アウターケーシングの係合とを阻害しないような湾曲を有することを特徴とするコントロールケーブルである。
【発明の効果】
【０００７】
本発明のコントロールケーブルは、樹脂製の本体内に硬鋼線を含む構造であって、端末に抜け留め加工が施されたアウターケーシングを含むコントロールケーブルであるため、ケーシングキャップを設けることなく簡単に製造することができ、しかも硬鋼線の延在部を有するので被取付け部に簡単にアウターケーシングを取り付けることができる。さらに、アウターケーシングの製造時に、硬鋼線の切断の必要も無く、また延在部がワッシャーと同様な機能を有することも可能であるので、被取付け部への抜け留め効果も優れている。
【図面の簡単な説明】
【０００８】
【図１】（ａ）本発明のコントロールケーブルに用いられるアウターケーシングについての一実施態様例を示す部分拡大斜視図である。  （ｂ）図１（ａ）のアウターケーシングを用いたコントロールケーブルを被係合部に係合させたときの模式的な断面図である。
【図２】本発明のコントロールケーブルに用いられるアウターケーシングについての他の実施態様例を示す部分拡大斜視図である。
【図３】本発明のコントロールケーブルに用いられるアウターケーシングの製造状態を模式的に示す部分拡大断面図である。
【発明を実施するための形態】
【０００９】
以下、本発明の実施態様について図を用いて説明するが、本発明はこれらに限定されるものではない。図１（ａ）は、本発明のコントロールケーブル１に用いられるアウターケーシング２の端部付近の部分拡大斜視図である。アウターケーシング２は、合成樹脂により形成された円筒状の本体３を備え、本体３には本体３の軸Ｘと平行になるように軸Ｘ方向に長さを有する硬鋼線４が埋設されている。硬鋼線４は、アウターケーシングの剛性を確保するものであり、少なくとも１本以上が配されるのであるが、図１の実施態様例においては２本の硬鋼線が用いられている。
【００１０】
アウターケーシング２は、端部に設けられた口部５と連通してアウターケーシング２の軸Xと平行に延びる内部空間１５を有しており、アウターケーシング２の端末には外径拡大部としてフランジ６が形成されている。本体３より硬鋼線４がフランジ６の先端側表面１６から外部へ延びる延在部７が形成されている。延在部７は、図１の実施態様例においては、アウターケーシング２の軸Xと垂直方向に曲がっており、さらにフランジ６の先端側表面１６の近傍に存在して、アウターケーシング２の周回り方向に湾曲している。このような湾曲は、アウターケーシング２の口部５よりに挿通されるインナーケーブルとの関係において、延在部７がインナーケーブル８の挿通と前記アウターケーシングの係合とを阻害しないような湾曲として先端側表面１６上近傍に形成される。図１（ｂ）はアウターケーシング２を用いたコントロールケーブル１を被係合部Ａに係合させた状態を示す模式的な断面図であるが、延在部７は、アウターケーシング２の内部空間の延長上には存在しないために、アウターケーシング２にインナーケーブル８を挿通させても当該挿通の阻害をすることがない。しかも、アウターケーシング２には、抜け留め加工として外径拡大部であるフランジ６が設けられているので、排水栓側などの被係合部と係合が容易であり、外径拡大部が係合を阻害することも無いので製造時に延在部を切断する必要もない。
【００１１】
また、図１（ｂ）に示すように、アウターケーシング２が、排水栓側などの被係合部Ａと係合し、インナーケーブル８を接続する側の部材である接続側部材Ｂと接続する場合には、接続側部材Ｂが延在部７を介してアウターケーシング２と接続して、フランジ６が被係合部と接続側部材とで狭持されてアウターケーシング２が固定されることとなる。このようにアウターケーシング２の係合が簡単であるために、コントロールケーブル１の取り付けが容易となり、さらに硬鋼線の延在部が接続側部材Ｂの押圧によりたわむ場合には、延在部７がワッシャーと同様な機能を生じることも可能なために、アウターケーシング２の被取付け部への抜け留め効果も優れている。
【００１２】
図２のアウターケーシング２２は、本発明のコントロールケーブルの他の実施態様例についてのアウターケーシングであり、外径拡大部２６がアウターケーシング２２の先端に向けて径が広がっているフレア状となっている。外径拡大部２６の形状は、アウターケーシング２２の先端において、アウターケーシングの固定のために被係合部と係合できるものであれば特に限定されるものではないために、フレア状のフレア部であってもよい。このようなフレア状の外径拡大部２６であっても、アウターケーシング２２の端末において外部に延在する延在部２７を有し、延在部２７がインナーケーブルの挿通を阻害することなく、さらにアウターケーシング２２と被係合部との係合とを阻害しないような湾曲を有していれば、図１の実施態様例と同様に、アウターケーシング２２の係合が簡単であるために、コントロールケーブルの取り付けが容易となり、さらには硬鋼線の延在部２７がワッシャーと同様な機能を生じることも可能なために、アウターケーシング２２が取り付けられる被取付け部への抜け留め効果も優れている。なお、アウターケーシング２２の本体２３には、図１の実施態様例と同様に硬鋼線を２本含んでいる。
【００１３】
また、本発明のコントロールケーブルの製造方法を以下に説明する。本発明のコントロールケーブルは、図１及び図２の実施態様例に代表されるコントロールケーブルを製造できる製造方法であれば、特に限定されるものではなく、公知の方法により製造することができるが、図３に示す治具３１およびチャック３２を用いて、硬鋼線３３を含む樹脂チューブ３４を加熱した後に、治具３１の案内棒３６を樹脂チューブ３４に挿入して治具３１を回転させながら、治具３１の突出部３７を樹脂チューブ３４の口部に挿入することにより、アウターケーシング３５の外径拡大部を形成することができる。
【００１４】
図３において、本発明のコントロールケーブルを製造に用いられるチャック３２は、図３（ｂ）において、アウターケーシングを保持するアウターケーシング保持部３２１と、治具３１を受ける治具受け部３２２と、治具受け部３２２とアウターケーシング保持部３２１との境界に段差として設けられた、フランジを形成するためのフランジ形成部３２３をと備えている。図３（ｂ）のチャック３２においては、アウターケーシング保持部３２１において左右に分割できるようにしてアウターケーシングを狭持することにより保持してもよい。また、図３に示す本発明のコントロールケーブルに用いられるアウターケーシングの製造方法に使用する治具は、径方向の中央部が円錐状に突出した突出部３７を有しており、
突出部３７の傾斜面３８が凹状に湾曲し、その先端に案内棒３６を有している。
【００１５】
本発明のコントロールケーブルに用いられるアウターケーシングの製造において、外径拡大部の形成されていない硬鋼線を含む樹脂チューブ３４の端末が加熱された状態で、チャック３２により前記樹脂チューブを保持し、ついで、治具３１を加熱しながら回転させ、案内棒３５を樹脂チューブに挿入する。治具３１を樹脂チューブ方向に押圧すると、図３（ａ）に示すように、傾斜面３８が樹脂チューブの端部に接触した際に、治具３１の押圧力と樹脂チューブの樹脂分がフランジ形成部３２３へ流動し、樹脂チューブ３４より露出した硬鋼線３３は、治具の回転により図１や図２に示すようなアウターケーシングの径方向に湾曲し、インナーケーブルの挿通とアウターケーシングの係合とを阻害しないような湾曲を有する延在部３９に形成されることとなる。前記の製造方法により、本発明のコントロールケーブルに用いられるアウターケーシングを製造することができるのであるが、樹脂組成や硬鋼線の硬度などの使用する材料に応じて、公知の方法を用いて適宜製造することができる。
【００１６】
本発明のコントロールケーブルに用いられるアウターケーシングの材質としては、用途に応じて適宜設定することができ、例えばポリプロピレンのホモポリマーを含む熱可塑性樹脂などの熱可塑性樹脂を用いることができる。硬鋼線について、その配置の仕方については、上記の実施態様例ではアウターケーシングの軸と平行となるように硬鋼線が配されているが、アウターケーシングに螺旋状に配されていてもよく、アウターケーシングから外部に延在する延在部を有し、延在部がインナーケーブルの挿通と前アウターケーシングの係合とを阻害しないような湾曲を有することができるのであれば、特に限定されるものではなく、公知の硬鋼線の配置の仕方を採用することができる。
【００１７】
また、本発明のコントロールケーブルに用いられるインナーケーブルは、前記のアウターケーシングに用いることができるインナーケーブルであれば特に限定されるものではなく、材料や撚りなどは用途・目的などに応じて適宜採用することができ、芯線の周りに撚られた線の外周に樹脂層を形成したインナーケーブルなどの公知のインナーケーブルを用いることができる。またインナーケーブルの外径についても、アウターケーシングの内径と用途に応じて、適宜設定することができる。
【符号の説明】
【００１８】
１              コントロールケーブル
２、２２        アウターケーシング
３、２３        アウターケーシングの本体
４              硬鋼線
５              口部
６              フランジ
７、２７        延在部
８              インナーケーブル
１６            先端側表面
２６            外径拡大部
３１            治具
３２            チャック
３３            硬鋼線
３４            樹脂チューブ
３６            案内棒
３７            突出部
３８            傾斜面
３２１          アウターケーシング保持部
３２２          治具受け部
３２３          フランジ形成部
【図１】
2012077816.tif 000003
【図２】
2012077816.tif 000004
【図３】
2012077816.tif 000005